(57)【要約】【課題】  肥満やストレスといった現代特有の症状を解消するために運動を行う場合に、被測定者に適切な情報を提示することが可能な状態監視装置を提供する。【解決手段】  被測定者に取り付け可能な２つの電極の間に電圧をかけることにより測定された電気信号より、前記電極間の前記被測定者の体水分量を算出する体水分量算出手段と、前記電気信号より、心拍数を算出する心拍数算出手段と、前記電気信号より、前記被測定者の１拍毎の心拍間隔を抽出し時間領域解析を行うことで、該被測定者の心拍のゆらぎ度を算出するゆらぎ度算出手段と、前記算出された心拍数に基づいて、前記被測定者の消費カロリーを算出する消費カロリー算出手段と、前記算出された体水分量、ゆらぎ度、ならびに消費カロリーを表示する表示手段とを備える。【選択図】  図１
2008167933.tif 000002
【特許請求の範囲】
【請求項１】
被測定者に取り付け可能な２つの電極の間に電圧をかけることにより測定された電気信号を取得する取得手段と、
前記取得された電気信号より、前記電極間の前記被測定者のインピーダンスを算出することで、該被測定者の体水分量を算出する体水分量算出手段と、
前記取得された電気信号より、前記被測定者の単位時間あたりの心拍数を算出する心拍数算出手段と、
前記取得された電気信号より、前記被測定者の１拍毎の心拍間隔を抽出し、該抽出された心拍間隔に基づいて時間領域解析または周波数解析を行うことで、該被測定者の心拍のゆらぎ度を算出するゆらぎ度算出手段と、
前記心拍数算出手段により算出された心拍数に基づいて、前記被測定者の消費カロリーを算出する消費カロリー算出手段と、
前記算出された体水分量、ゆらぎ度、ならびに消費カロリーを表示する表示手段と
を備えることを特徴とする状態監視装置。
【請求項２】
被測定者に取り付け可能な２つの電極の間に電圧をかけることにより測定された電気信号を取得する取得手段と、
前記取得された電気信号より、前記電極間の前記被測定者のインピーダンスを算出することで、該被測定者の体水分量を算出する体水分量算出手段と、
前記取得された電気信号より、前記被測定者の単位時間あたりの心拍数を算出する心拍数算出手段と、
前記取得された電気信号より、前記被測定者の１拍毎の心拍間隔を抽出し、該抽出されたｎ拍目の心拍間隔とｎ＋１拍目の心拍間隔とを、２次元グラフ領域の縦軸または横軸として順次プロットする場合の各座標データを算出した後、該座標データのばらつきを算出することで、該被測定者の心拍のゆらぎ度を算出するゆらぎ度算出手段と、
前記心拍数算出手段により算出された心拍数に基づいて、前記被測定者の消費カロリーを算出する消費カロリー算出手段と、
前記算出された体水分量、ゆらぎ度、ならびに消費カロリーを表示する表示手段と
を備えることを特徴とする状態監視装置。
【請求項３】
前記２つの電極のうち、一方の電極は、前記被測定者の手首部分に巻きまわされる帯体により、該被測定者の手首部分に取り付け可能であり、他方の電極は、該被測定者の足首部分に巻きまわされる帯体により、該被測定者の足首部分に取り付け可能であることを特徴とする請求項１または２に記載の状態監視装置。
【請求項４】
前記表示手段は、前記算出された座標データを、前記２次元グラフ領域にプロットすることを特徴とする請求項２に記載の状態監視装置。
【請求項５】
前記算出された体水分量ならびに心拍数が、それぞれ、予め定められた閾値以上であった場合に、警報を出力する出力手段を更に備えることを特徴とする請求項１または２に記載の状態監視装置。
【請求項６】
前記算出されたゆらぎ度が、予め定められた閾値よりも小さい場合に、警報を出力する出力手段を更に備えることを特徴とする請求項１または２に記載の状態監視装置。
【請求項７】
被測定者に取り付け可能な２つの電極の間に電圧をかけることにより測定された電気信号を取得する取得工程と、
前記取得された電気信号より、前記電極間の前記被測定者のインピーダンスを算出することで、該被測定者の体水分量を算出する体水分量算出工程と、
前記取得された電気信号より、前記被測定者の単位時間あたりの心拍数を算出する心拍数算出工程と、
前記取得された電気信号より、前記被測定者の１拍毎の心拍間隔を抽出し、該抽出された心拍間隔に基づいて時間領域解析または周波数解析を行うことで、該被測定者の心拍のゆらぎ度を算出するゆらぎ度算出工程と、
前記心拍数算出工程により算出された心拍数に基づいて、前記被測定者の消費カロリーを算出する消費カロリー算出工程と、
前記算出された体水分量、ゆらぎ度、ならびに消費カロリーを表示する表示工程と
を備えることを特徴とする状態監視装置における情報処理方法。
【請求項８】
請求項７に記載の情報処理方法をコンピュータによって実行させるための制御プログラム。
【発明の詳細な説明】
【技術分野】
【０００１】
本発明は、運動中の被測定者の状態を監視する状態監視装置に関するものである。
【背景技術】
【０００２】
従来より、運動中の被測定者の状態を監視するためのシステムが知られている（例えば、特開２００５−３３４０２１号公報参照）。同公報によれば、携帯端末装置を用いて運動中の被測定者の血圧、脈拍、体温、体水分量等を測定することで、被測定者の運動中の事故（例えば、熱中症等）を未然に防ぐことができる。
【特許文献１】特開２００５−３３４０２１号公報
【発明の開示】
【発明が解決しようとする課題】
【０００３】
しかしながら、上記特許文献１に記載の携帯端末装置の場合、あくまで運動中の事故防止を目的として構成されている。このため、被測定者が、事故につながるような状態になった場合に、これをいち早く検知し、被測定者に報知することが同装置の構成上、重要となってくる。
【０００４】
一方、近年、中高年の多くは、肥満やストレスといった現代特有の症状に悩まされており、その解消を目的として運動を行っていることが多い。つまり、運動によりストレスが発散され、肥満が解消できることが重要となってくる。このため、運動によりどの程度カロリーが消費されたのか、あるいはどの程度汗をかくことができたのか、あるいは運動により実際にストレスが解消できたのかといった点に注目が集まってくる。
【０００５】
したがって、従来のように、単に、血圧や脈拍、体水分量等を測定し、警告を出すだけでは、被測定者のニーズにそぐわず、上記目的と関わりのある情報が適切に提示されることが望ましい。
【０００６】
本発明は、上記課題に鑑みてなされたものであり、肥満やストレスといった現代特有の症状の解消を目的として運動を行う場合に、被測定者に適切な情報を提示することが可能な状態監視装置を提供することを目的とする。
【課題を解決するための手段】
【０００７】
上記の目的を達成するために本発明に係る状態監視装置は以下のような構成を備える。即ち、
被測定者に取り付け可能な２つの電極の間に電圧をかけることにより測定された電気信号を取得する取得手段と、
前記取得された電気信号より、前記電極間の前記被測定者のインピーダンスを算出することで、該被測定者の体水分量を算出する体水分量算出手段と、
前記取得された電気信号より、前記被測定者の単位時間あたりの心拍数を算出する心拍数算出手段と、
前記取得された電気信号より、前記被測定者の１拍毎の心拍間隔を抽出し、該抽出された心拍間隔に基づいて時間領域解析または周波数解析を行うことで、該被測定者の心拍のゆらぎ度を算出するゆらぎ度算出手段と、
前記心拍数算出手段により算出された心拍数に基づいて、前記被測定者の消費カロリーを算出する消費カロリー算出手段と、
前記算出された体水分量、ゆらぎ度、ならびに消費カロリーを表示する表示手段とを備える。
【発明の効果】
【０００８】
本発明によれば、肥満やストレスといった現代特有の症状の解消を目的として運動を行う場合に、被測定者に適切な情報を提示することが可能な状態監視装置を提供することが可能となる。
【発明を実施するための最良の形態】
【０００９】
以下の各実施形態では、被測定者のストレスと関わりのある生体情報を検出・解析することで、被測定者のストレスの度合いを検知し、表示する構成とした。
【００１０】
被測定者のストレスと関わりのある生体情報として、以下の実施形態では、心電波形や脈拍等の心拍に関する生体情報を検出する。また、ストレス状態については、当該検出された心拍に関する生体情報に基づいて時間領域解析の幾何学的図形解析法を用いることで算出される「心拍ゆらぎ」を指標として表示する。
【００１１】
なお、以下の各実施形態では、時間領域解析の幾何学的図形解析法の１つとしてローレンツプロットを採用することとするが、時間領域解析法としては、特にこれに限定されるものではない。心拍ゆらぎの指標として、他の時間領域解析の幾何学的図形解析法であるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）、ＣＶＲＲ等を採用するようにしてもよい。
【００１２】
また、以下の各実施形態では、被測定者の発汗量と関わりのある生体情報として体水分量を検出し、表示する。更に、被測定者が運動中に消費した消費カロリーと関わりのある生体情報として心拍数を検出し、これに基づいて消費カロリーを算出し、これを表示する。これにより、被測定者の目的にあった情報を提供することができる。
【００１３】
なお、以下の各実施形態では、これらの情報をいずれも、被測定者に取り付けられた２つの電極間に電圧をかけることで測定された電気信号に基づいて算出する。換言すると、これらの情報を提示するにあたり、被測定者は２つの電極を取り付けるだけでよく、運動中にリアルタイムに測定し、表示を見ることができるというメリットがある。
【００１４】
以下、必要に応じて添付図面を参照しながら本発明の各実施形態を詳細に説明する。
【００１５】
［第１の実施形態］
１．ローレンツプロットの概要
はじめに、心拍ゆらぎを表す指標としてのローレンツプロットについて簡単に説明する。ローレンツプロットとは、交感神経と副交感神経の亢進状態の評価方法として知られている。一般に交感神経と副交感神経とはバランスがとれていることが重要であり、ストレスにより交感神経と副交感神経とのバランスが乱れると、心拍のゆらぎに影響を及ぼす。
【００１６】
ローレンツプロットとは、この心拍のゆらぎを、心電波形や脈拍等の心拍に関する生体情報に基づいて可視化したものである。
【００１７】
図１２、図１３は、心電波形に基づいてローレンツプロットを生成する方法を示した図である。図１２の１２０１に示すような心電波形が収集されると、まず、Ｒ波の位置が同定され、Ｒ−Ｒ間隔が算出される。Ｒ波とは心電波形のピーク部分をいい、Ｒ−Ｒ間隔とはＲ波のｎ拍目（ｎは任意の整数）とｎ＋１拍目の心拍間隔をいう。図１２の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３と算出される。
【００１８】
そして、当該算出されたＲ−Ｒ間隔に基づいて、図１３に示す２次元グラフ領域に、Ｔ２１を横軸に、Ｔ３２を縦軸にプロットする。更に、Ｔ３２を横軸に、Ｔ４３を縦軸にプロットする。このような処理を、連続するＲ−Ｒ間隔に対して順次行うことで、ローレンツプロットが生成される（このときの各プロットの２次元グラフ領域における位置座標を、ローレンツプロットデータと称す）。
【００１９】
なお、参考までに図１４に、生成されたローレンツプロットの一例を示す。（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【００２０】
２．状態監視装置の構成
次に、本実施形態にかかる状態監視装置の概略構成について図１を参照しながら説明する。
【００２１】
図１は、本実施形態にかかる状態監視装置を被測定者１００に装着した様子を示す図である。同図において、１０１は本体部であり、腕時計状の形状を有しており、被測定者１００の手首部分に装着される。１０２は電極部であり、帯体の一部に電極が埋め込まれており、本体部１０１に埋め込まれた電極（不図示）との間（矢印１０７参照）に電圧を印加することで、該電極間のインピーダンスを測定することができる。本体部１０１では測定されたインピーダンスに基づいて、該電極間の被測定者１００の体水分量を算出する。また、該電極間に電圧を印加することで、該電極間におけるインピーダンスの時間変化を測定することができる。これにより、被測定者１００の心電波形もあわせて求めることができる。本体部１０１では、当該心電波形に基づいて心拍数を求め、消費カロリーを算出したり、ローレンツプロットデータを求め、心拍ゆらぎ度を算出したりする。
【００２２】
本体部１０１と電極部１０２とは、配線１０３により電気的に接続されており、該配線１０３には、該配線１０３を被測定者１００に固定するための帯体１０４、１０５、１０６が設けられている。
【００２３】
３．本体部１０１及び電極部１０２の構成
３．１  本体部１０１及び電極部１０２の外観構成
図２は、状態監視装置の本体部１０１の外観構成を示す図である。同図において、（ａ）は本体部１０１を正面側から見た図であり、（ｂ）は本体部１０１を裏面側から見た図である。また、（ｃ）は電極部１０２を正面側から見た図であり、（ｄ）は電極部１０２を裏面側から見た図である。
【００２４】
図２の（ａ）に示すように、本体部１０１は、表示／操作部２０１とバンド部２０２とを備える。
【００２５】
バンド部２０２には、取り付け調節用の穴２０３が複数設けられ、該バンド部２０２を被測定者１００の手首に巻きつけた状態で、不図示の止め具を該バンド部２０２の穴２０３に挿入することで、該バンド部２０２を被測定者１００の手首に取り付けることができる。
【００２６】
表示／操作部２０１には、表示画面２０１−１と操作ボタン２０１−３とが備えられており、被測定者１００は、操作ボタン２０１−３を押圧することで、測定の開始／終了等の各種指示を入力することができる。また、被測定者１００は、表示画面２０１−１に表示された測定結果を見ることで、運動中に自身の状態を把握することができる。更に表示／操作部２０１には、音声出力部２０１−２が設けられており、必要に応じて、警報が出力される。
【００２７】
更に、図２の（ｂ）に示すように、表示／操作部２０１の裏面には、電極２０４が設けられており、バンド部２０２が被測定者１００の手首に巻きつけられた状態で、電極２０４が被測定者１００の手首に圧接するように構成されている。
【００２８】
一方、電極部１０２は、被測定者１００の足首に巻きつけるためのテープ部２０５（図２の（ｃ））を備え、テープ部２０５の裏面には、電極２０６（図２の（ｄ））が設けられている。
【００２９】
なお、電極部１０２はテープ部２０５が被測定者の足首に巻きつけられた状態で電極２０６が被測定者１００の足首に圧接するように構成されているものとする。また、テープ部２０５は、被測定者１００の足首に巻きつけられた状態で固定できるように、テープ部２０５の裏面とテープ部２０５の表面とが固着するように構成されているものとする。
【００３０】
３．２  本体部１０１の機能構成
図３は、状態監視装置の本体部１０１の機能構成を示す図である。同図において、３０１はクロック部であり、クロック信号を発振し、ＣＰＵ３０２に供給する。３０３はＲＡＭであり、ＣＰＵ３０２において処理されたプログラムのワークエリアとして機能するとともに、プログラム処理時にデータ等を一時的に記憶する記憶手段としても機能する。３０４はＲＯＭであり、ＣＰＵ３０２において処理されるプログラムが格納されている。
【００３１】
３０５は表示／操作部（図２の２０１に対応）であり、ＣＰＵ３０２において処理された処理結果を表示するとともに、被測定者からの指示入力を受け付ける。
【００３２】
３０６は電極であり、図２の２０４に対応する。３０７はアンプであり、電極３０６より出力された電気信号を増幅するとともに、デジタル信号（以下、測定データ）に変換する。
【００３３】
３０８は通電部であり、配線１０３を介して電極２０６に電圧を印加する。３０９はアンプであり、ＣＰＵ３０２からの制御データを電気信号に変換し、増幅した後、通電部３０８に出力する。
【００３４】
３１０は音声出力部（図２の２０１−２に対応）であり、ＣＰＵ３０２における処理の結果に応じて警報を出力する。３１１はアンプであり、ＣＰＵ３０２より送信された警報データを電気信号に変換し、増幅した後、音声出力部３１０に出力する。
【００３５】
ＲＯＭ３０４に格納されたプログラムにより実現される機能を３２１から３２８に示す。３２１は測定データ検出処理部であり、アンプ３０７より出力された測定データを受信する。３２２は心拍間隔検出処理部であり、受信した測定データに基づいて、心電波形のＲ波を同定したのち、各Ｒ−Ｒ間隔を算出し、ローレンツプロットデータ（２次元グラフ領域にローレンツプロットを表示するための座標データ）を生成する。また、所定時間、例えば、１分間あたりの心拍数を算出する。
【００３６】
３２３はゆらぎ度算出部であり、生成されたローレンツプロットデータに基づいてゆらぎ度を算出する。なお、ゆらぎ度とは、２次元グラフ領域における分布領域の大きさ（本実施形態にあっては、ローレンツプロットデータのばらつき）のことをいうものとする。
【００３７】
３２４はカロリー算出部であり、心拍間隔検出処理部３２２において算出された所定時間あたりの心拍数に基づいて、測定が開始されてからの消費カロリーの累積値を算出する。
【００３８】
３２５は体水分量算出部であり、測定データ検出処理部３２１において受信された測定データより電極２０４、２０６間の被測定者１００のインピーダンスを算出することで、被測定者１００の体水分量を算出する。なお、このような体水分量の算出方法は、生体電気インピーダンス法（ＢＩＡ法）と呼ばれ、一般に知られている算出方法であることから、ここでは詳細な説明は省略する。
【００３９】
３２６は、表示処理部であり、測定中は、心拍間隔検出処理部３２２において生成されたローレンツプロットデータに基づいて、表示／操作部３０５上にローレンツプロットを表示するよう制御する。更に、心電波形のＲ波のタイミングに合わせて、文字、記号、シンボルマーク等で表示される心拍検出マーク（後述）を点滅させるとともに、心拍数を表示するよう制御する。また、測定完了時には、算出されたゆらぎ度、消費カロリー、体水分量を表示（または更新）するよう制御する。
【００４０】
３２７は音声出力処理部であり、心拍間隔検出処理部３２２において算出された心拍数、ゆらぎ度算出部３２３において算出されたゆらぎ度、体水分量算出部３２５において算出された体水分量について、それぞれ所定の閾値と対比し、必要に応じて警報を出力するよう制御する。
【００４１】
３２８は通電制御部であり、被測定者１００により測定の開始指示がなされた場合に、電極２０４、２０６間に電圧が印加されるように、アンプ３０９に対して制御データを出力し、通電を制御する。
【００４２】
４．表示／操作部３０５の構成
図４は、表示／操作部３０５の画面例を示す図である（なお、画面は液晶画面のほか、視認性の高い有機ＥＬなどを用いても良い）。４０１はデータ表示部であり、表示処理部３２６が各種データを表示する。図４の例では、ローレンツプロットを表示するための画面（ローレンツプロット表示画面）が図示されており、横軸および縦軸の単位はｍｓｅｃである（表示画面としては、この他、算出されたゆらぎ度、体水分量、消費カロリーをバーグラフで表示するバーグラフ表示画面がある。詳細は後述）。
【００４３】
４０２は測定開始／終了ボタンであり、被測定者１００が測定開始／終了ボタン４０２を１回押下することにより、測定が開始され、再度押下することで測定が終了される。
【００４４】
４０３は表示モード選択ボタンであり、後述するローレンツプロット表示画面を表示するローレンツプロット表示モードと、バーグラフ表示画面を表示するバーグラフ表示モードとを切り替えるためのボタンである。
【００４５】
４０４は電源ボタンであり、被測定者１００が電源ボタン４０４を１回押下することにより、状態監視装置の電源がＯＮとなり、再度押下することにより状態監視装置の電源がＯＦＦとなる。
【００４６】
５．状態監視装置における測定処理の流れ
図５Ａ、図５Ｂは状態監視装置における測定処理の流れを示すフローチャートである。電源ボタン４０４が押下され、状態表示装置の電源が投入された後、測定開始／終了ボタン４０２が１回押下されると、測定処理が開始される。
【００４７】
ステップＳ５０１では、表示モードがローレンツプロット表示モードであるか、バーグラフ表示モードであるのかを判定する。ステップＳ５０１において、表示モードがローレンツプロット表示モードであると判定された場合には、ステップＳ５０２に進む。
【００４８】
ステップＳ５０２では、ローレンツプロット表示画面（図４参照）をデータ表示部４０１上に表示する。ステップＳ５０３では、測定終了の指示がなされたか否かを判定する。具体的には、測定開始／終了ボタン４０２が再度押下されたか否かを監視し、測定開始／終了ボタン４０２が再度押下された場合に、測定終了の指示がなされたと判定する。
【００４９】
ステップＳ５０３において、測定終了の指示がなされたと判定された場合には、ステップＳ５１８に進み、後述する所定時間のカウントを行うタイマーをリセットし、測定処理を終了する。
【００５０】
一方、ステップＳ５０３において、測定終了の指示がなされていないと判定された場合には、ステップＳ５０４に進み、測定データを受信したか否かを判定する。
【００５１】
本実施形態の場合、電極２０４、２０６は被測定者１００の手首及び足首に圧接された状態となっているが、被測定者１００が運動中に測定を行うため、電極２０４または２０６のいずれかが被測定者１００の手首または足首から離れてしまう場合がある。この場合、測定データを受信できなくなってしまう。そこで、ステップＳ５０４では、所定時間が経過するまでの間、測定データが正常に受信できているか否かを監視しておく。
【００５２】
ステップＳ５０４において、測定データを受信できていないと判定された場合には、ステップＳ５１６に進み、データ表示部４０１上のローレンツプロットをリセットする。
【００５３】
更に、ステップＳ５１７では、所定時間のカウントを行うタイマーをリセットし、ステップＳ５０１に戻る。これにより、所定時間経過前に、電極２０４、２０６が被測定者１００の手首または足首から離れ、一時的に測定データが受信できなくなった場合にあっては、途中まで表示されたローレンツプロットの表示がリセットされることとなる。なお、この場合、ステップＳ５０１に戻るため、自動的に測定処理が再開されることとなる。
【００５４】
一方、ステップＳ５０４において、測定データを受信できていると判定された場合には、ステップＳ５０５に進み、心拍間隔検出処理部３２２が測定データ検出処理部３２１にて受信した測定データを取得する。また、あわせて体水分量算出部３２５が測定データ検出処理部３２１にて受信した測定データを取得する。
【００５５】
ステップＳ５０６では、心拍間隔検出処理部３２２が取得した測定データに基づいて心電波形のＲ波を同定し、Ｒ−Ｒ間隔を算出する。また、並行して、ステップＳ５１５において、体水分量算出部３２５が取得した測定データより電極２０４、２０６間の被測定者１００のインピーダンスを算出することで、被測定者１００の体水分量を算出する。体水分量を算出後は、ステップＳ５０８に進む。
【００５６】
一方、ステップＳ５０７では、心拍間隔検出処理部３２２がステップＳ５０６にて算出されたＲ−Ｒ間隔を用いてローレンツプロットデータを算出し、表示処理部３２６がローレンツプロットを行う。また、並行して、ステップＳ５１３では、心拍間隔検出処理部３２２がステップＳ５０６にて算出されたＲ−Ｒ間隔を用いて、単位時間あたり（例えば、１分間あたり）の心拍数を算出する。更に、表示処理部３２６が該同定したＲ波にあわせてデータ表示部４０１上の心拍検出マークを点滅させるとともに、算出した心拍数をデータ表示部４０１上に表示する。これにより、測定開始後は、測定データを取得するごとに、心拍検出マークが点滅し、心拍数の表示が更新されることとなる。
【００５７】
更に、ステップＳ５１４では、カロリー算出部３２４がステップＳ５１２にて算出された心拍数に基づいて、消費カロリーを算出する。消費カロリーを算出後は、ステップＳ５０８に進む。
【００５８】
ステップＳ５０８では、タイマーのカウントが開始されてから所定時間が経過したか否かを判定する。所定時間が経過していなければステップＳ５０１まで戻る。
【００５９】
図６は、所定時間経過前のデータ表示部４０１のローレンツプロット表示画面の一例を示す図である。同図において６０１は心拍検出マークであり、６０２は心拍数表示欄である。６０３は現在の日時を表示する欄である。更に、６０４はローレンツプロットであり、６０５は算出されるゆらぎ度、体水分量、消費カロリーを表示する算出結果表示欄である。
【００６０】
なお、所定時間が経過するまでの間、データ表示部４０１の任意の位置に所定表示（セグメント表示などで、カウントダウン表示またはカウントアップ表示）をしたり、ペット、子供、風景、キャラクタなどを任意に選択して順次画像等を完成させるような画面表示を行ったりしてもよい。
【００６１】
図５Ａに戻る。ステップＳ５０８において所定時間が経過したと判定された場合には、ステップＳ５０９にてタイマーのカウントを停止し、リセットする。
【００６２】
更に、ステップＳ５１０では、所定時間内に算出されたローレンツプロットデータを用いてゆらぎ度を算出し、算出結果表示欄６０５に表示する。好ましくは、更に、ローレンツプロットデータの分布領域を示す線を算出し、表示する。
【００６３】
また、所定時間内に算出された体水分量の平均値を算出し、算出結果表示欄６０５に表示する（既に表示がある場合には、新たに算出された体水分量の値により更新する）。更に、所定時間内に算出された消費カロリーの累積値を算出し、算出結果表示欄６０５に表示する（すでに表示がある場合には、新たに算出された消費カロリーの累積値を加算して表示する）。
【００６４】
図７は、所定時間経過時のデータ表示部４０１のローレンツプロット表示画面の一例を示す図である。同図において７０１は、ローレンツプロットデータの分布領域を示す線である。また、７０２〜７０４はそれぞれ算出されたゆらぎ度、体水分量、消費カロリーである。
【００６５】
更に、ステップＳ５１１では、表示されたゆらぎ度、体水分量、および所定時間内の平均の心拍数を、それぞれ所定の閾値と比較する。比較の結果、ゆらぎ度が所定の閾値よりも小さい場合には、音声出力部２０１−２を介して警報を出力する。同様に、体水分量が所定の閾値よりも小さい場合にも、警報を出力する。更に、心拍数が所定の閾値以上であった場合にも、警報を出力する。なお、警報が出力された場合には、あわせてデータ表示部４０１上に警告メッセージを表示する。
【００６６】
図８は、ステップＳ５１１における処理の結果、心拍数が所定の閾値以上であった場合に警告メッセージウィンドウ８０１が表示された様子を示す図である。このような出力を行うことで、被測定者は、運動負荷が高く、運動内容が適切でないと判断することができる。
【００６７】
再び図５Ａに戻る。ステップＳ５１２では、図８に示す表示が一定時間継続したら、ローレンツプロット及び分布領域を示す線ならびに警告メッセージウィンドウ８０１をリセットし、ステップＳ５０１に戻る（その他の表示はそのまま残る）。
【００６８】
一方、ステップＳ５０１において表示モードがバーグラフ表示モードであると判定された場合には、ステップＳ５２１に進む。
【００６９】
ステップＳ５２１では、バーグラフ表示画面をデータ表示部４０１上に表示する。ステップＳ５２２では、測定開始／終了ボタン４０２が再度押下されることで、測定終了の指示がなされたか否かを判定する。
【００７０】
ステップＳ５２２において、測定終了の指示がなされたと判定された場合には、ステップＳ５３４に進み、タイマーをリセットし、測定処理を終了する。一方、ステップＳ５２２において、測定終了の指示がなされていないと判定された場合には、ステップＳ５２３に進み、測定データを受信したか否かを判定する。
【００７１】
上述のように、本実施形態の場合、電極２０４、２０６は被測定者１００の手首及び足首に圧接状態となっているが、被測定者１００が運動中に測定を行うため、電極２０４または２０６のいずれかが被測定者１００の手首または足首から離れてしまう場合がある。この場合、測定データを受信できなくなってしまう。そこで、ステップＳ５２３では、所定時間が経過するまでの間、測定データが正常に受信できているか否かを監視しておく。
【００７２】
ステップＳ５２３において、測定データを受信できていないと判定された場合には、ステップＳ５３４に進み、所定時間のカウントを開始してから、測定データを受信できていないと判定されるまでの間に受信した測定データを削除し、ステップＳ５３５にてタイマーをリセットした後、図５ＡのステップＳ５０１に戻る。これにより、所定時間経過前に、電極２０４、２０６が被測定者１００の手首または足首から離れ、一時的に測定データが受信できなくなった場合にあっても、自動的に測定処理が再開されることとなる。
【００７３】
一方、ステップＳ５２３において、測定データを受信できていると判定された場合には、ステップＳ５２４に進み、心拍間隔検出処理部３２２が測定データ検出処理部３２１にて受信した測定データを取得する。
【００７４】
ステップＳ５２５では、心拍間隔検出処理部３２２が取得した測定データに基づいて心電波形のＲ波を同定し、Ｒ−Ｒ間隔を算出する。また、並行して、ステップＳ５３２において、体水分量算出部３２５が取得した測定データより電極２０４、２０６間の被測定者１００のインピーダンスを算出することで、被測定者１００の体水分量を算出する。体水分量を算出後は、ステップＳ５２７に進む。
【００７５】
一方、ステップＳ５２６では、心拍間隔検出処理部３２２がステップＳ５２５にて算出されたＲ−Ｒ間隔に基づいて、ローレンツプロットデータを算出する。また、並行して、心拍間隔検出処理部３２２がステップＳ５２５にて算出されたＲ−Ｒ間隔に基づいて、単位時間（例えば、１分間）あたりの心拍数を求め、表示処理部３２６が表示する。更に、表示処理部３２６が該同定したＲ波にあわせてデータ表示部４０１上の心拍検出マークを点滅させるとともに、算出した心拍数をデータ表示部４０１上に表示する。これにより、測定開始後は、測定データを取得するごとに、心拍検出マークが点滅し、心拍数の表示が更新されることとなる。
【００７６】
更に、ステップＳ５３２では、カロリー算出部３２４がステップＳ５３１において算出された心拍数に基づいて、消費カロリーを算出する。消費カロリーを算出後は、ステップＳ５２７に進む。
【００７７】
ステップＳ５２７では、タイマーのカウントが開始されてから所定時間が経過したか否かを判定する。所定時間が経過していなければ、ステップＳ５０１まで戻る。
【００７８】
一方、ステップＳ５２７において所定時間が経過したと判定された場合には、ステップＳ５２８に進み、タイマーのカウントを停止し、リセットする。
【００７９】
更に、ステップＳ５２９では、所定時間内に算出されたローレンツプロットデータを用いてゆらぎ度を算出し、バーグラフとして表示する。
【００８０】
また、所定時間内に算出された体水分量の平均値を算出し、バーグラフとして表示する（既にバーグラフ表示がある場合には、新たに算出された体水分量によりバーグラフを更新する）。更に、所定時間内に算出された消費カロリーの累積値を算出し、バーグラフとして表示する（すでにバーグラフ表示がある場合には、新たに算出された消費カロリーの累積値を加算して、バーグラフ表示する）。
【００８１】
図９は、所定時間経過後のデータ表示部４０１のバーグラフ表示画面の一例を示す図である。同図において、９０１はゆらぎ度のバーグラフであり、９０２は体水分量のバーグラフであり、９０３は消費カロリーのバーグラフである。
【００８２】
バーグラフ９０１〜９０３は、所定時間が経過するごとに更新され、タイマーのカウントを開始してから、所定時間が経過するまでの間に、測定データを受信できていない状態があった場合には、バーグラフは更新されることなく、次の所定時間が経過するまで、現在の表示が維持される。
【００８３】
ステップＳ５２８において、全てのバーグラフが表示（更新）された後は、ステップＳ５３０に進む。ステップＳ５３０では、算出されたゆらぎ度、体水分量、および所定時間内の平均の心拍数を、それぞれ所定の閾値と比較する。比較の結果、ゆらぎ度が所定の閾値よりも小さい場合には、音声出力部２０１−２を介して警報を出力する。同様に、体水分量が所定の閾値よりも小さい場合にも、警報を出力する。更に、心拍数が所定の閾値より大きい場合にも、警報を出力する。なお、警報が出力された場合には、あわせてデータ表示部４０１上の対応するバーグラフの色を変え、被測定者１００に注意を促す。
【００８４】
図１０は、体水分量が所定の閾値よりも小さい場合に、体水分量を表わすバーグラフ１００２の色が変化した様子を示している。これにより、被測定者１００は、運動により発汗が進み、体水分量が所定の閾値よりも小さくなっていることを認識することができる。
【００８５】
以上の説明から明らかなように、本実施形態にかかる状態監視装置では、ストレス状態と関わりのある心拍のゆらぎ度と、発汗量と関わりのある体水分量と、ダイエットと関連する消費カロリーとを算出し、それぞれ表示することが可能となる。
【００８６】
つまり、肥満やストレスといった現代特有の症状の解消を目的として運動を行った場合に、これらの症状と密接に関わる各情報を被測定者に提供することが可能となる。
【００８７】
この結果、被測定者は、運動中に状態監視装置を見ながら、ストレスがどの程度解消されたのかを把握することができる。また、カロリーをどの程度消費したのかを把握することができる。更に、どの程度汗をかき、体水分量が低下したのかを把握することができる。
【００８８】
更に、これらの情報を提供するにあたり、本実施形態にかかる状態監視装置の場合、（複数の測定装置を装着しなくとも）１組の電極を身体に装着するだけでよく、運動しながら、リアルタイムに状態を監視することができるため、被測定者にとって利便性が高いというメリットがある。
【００８９】
［第２の実施形態］
上記第１の実施形態では、運動中の被測定者１００の状態を監視することを前提として説明したが、本発明にかかる状態監視装置は、被測定者１００が運動中である場合に限らない。運動をしていない状態においても被測定者の状態を監視可能であることはいうまでもない。
【００９０】
このため、運動モードと安静モードの２種類の測定モードを設け、被測定者１００が予めいずれかの測定モードを選択したうえで、測定を開始することで、運動中に測定した測定結果と、運動をしていない状態で測定した測定結果とをわけて表示するようにしてもよい。
【００９１】
この場合、運動モードにおいて算出されたローレンツプロットデータと、安静モードで算出されたローレンツプロットデータとを、異なるマークで表示するようにしてもよい。図１１は、安静モードで測定されたローレンツプロットを表示した場合の一例を示す図である。同図に示すように、ローレンツプロット１１０１は、運動モードにおいて測定されたローレンツプロットとは異なるマークで表示される。
【００９２】
また、この場合、比較に用いられる所定の閾値についても、切り替えて設定されるようにしてもよい。つまり、被測定者が運動している状態にあることを前提として設定される閾値と、被測定者が安静状態にあることを前提として設定される閾値とでは自ずと異なってくることから、現在の測定モードが運動モードであるのか、安静モードであるのかに基づいて、閾値を切り替えられるように構成してもよい。
【図面の簡単な説明】
【００９３】
【図１】本発明の一実施形態にかかる状態監視装置を被測定者１００に装着した様子を示す図である。。
【図２】状態監視装置の本体部１０１の概略構成を示す図である。
【図３】状態監視装置の本体部１０１の機能構成を示す図である。
【図４】表示／操作部３０５の画面例を示す図である。
【図５Ａ】状態監視装置における測定処理の流れを示すフローチャートである。
【図５Ｂ】状態監視装置における測定処理の流れを示すフローチャートである。
【図６】所定時間経過前のデータ表示部４０１のローレンツプロット表示画面の一例を示す図である。
【図７】所定時間経過時のデータ表示部４０１のローレンツプロット表示画面の一例を示す図である。
【図８】心拍数が所定の閾値を超えていた場合に警告メッセージウィンドウ８０１が表示された様子を示す図である。
【図９】所定時間経過後のデータ表示部４０１のバーグラフ表示画面の一例を示す図である。
【図１０】体水分量が所定の閾値よりも小さい場合に、体水分量を表わすバーグラフ１００２の色が変化した様子を示す図である。
【図１１】安静モードで測定されたローレンツプロットを表示した場合の一例を示す図である。
【図１２】心電波形に基づいてローレンツプロットを生成する方法を示した図である。
【図１３】心電波形に基づいてローレンツプロットを生成する方法を示した図である。
【図１４】ローレンツプロットの一例を示す図である。
【図１】
2008167933.tif 000003
【図２】
2008167933.tif 000004
【図３】
2008167933.tif 000005
【図４】
2008167933.tif 000006
【図５Ａ】
2008167933.tif 000007
【図５Ｂ】
2008167933.tif 000008
【図６】
2008167933.tif 000009
【図７】
2008167933.tif 000010
【図８】
2008167933.tif 000011
【図９】
2008167933.tif 000012
【図１０】
2008167933.tif 000013
【図１１】
2008167933.tif 000014
【図１２】
2008167933.tif 000015
【図１３】
2008167933.tif 000016
【図１４】
2008167933.tif 000017